(57)【特許請求の範囲】
【請求項１】
箱状の筐体と、
前記筐体の前面に設けられる操作つまみと、
前記筐体内に収容され、前記操作つまみの操作に応じて照明負荷の調光を行うための調光回路を構成する複数の回路素子と
を備え、
前記筐体が、爪部と爪受け部とによって組み付けられる前方側のカバーと後方側のボディとからなる調光器であって、
前記爪部は前記カバーの係止側壁の後端から突出するように形成され、前記爪受け部は前記ボディの係止側壁に形成され、
前記カバーと前記ボディにおける前記爪部と前記爪受け部の近傍位置には、組み付けられた状態で、前後方向から見て直交する４方向の内の少なくとも３方向の相対移動を規制すべく互いに係合可能な凹部と凸部とが設けられ、
前記凸部は前記ボディの係止側壁の前端から凸設され、前記凹部は前記カバーの係止側壁において前記爪部よりも外方へ膨出するように形成された膨出部に設けられていることを特徴とする調光器。
【請求項２】
請求項１に記載の調光器において、
前記凹部と前記凸部は、前記爪部と前記爪受け部のそれぞれの両側の近傍位置にそれぞれ設けられたことを特徴とする調光器。
【請求項３】
請求項１又は２に記載の調光器において、
前記筐体は、略直方体の箱状であり、
前記爪部と前記爪受け部は、前記カバーと前記ボディにおける前後方向から見て対向する一対の係止側壁にそれぞれ設けられ、前記筐体を一対ずつで係止するものであって、
前記カバーと前記ボディにおける前記係止側壁とそれぞれ直交する一対の非係止側壁には、組み付けられた状態で、前後方向から見て一対の前記非係止側壁が並ぶ方向の相対移動を規制すべく互いに係合可能な規制部と被規制部とが設けられたことを特徴とする調光器。
【請求項４】
請求項３に記載の調光器において、
前記規制部と前記被規制部には、組み付けられた状態で、前後方向から見て一対の前記係止側壁が並ぶ方向の相対移動を規制すべく互いに係合可能な規制凹部と規制凸部とが設けられたことを特徴とする調光器。
【請求項５】
請求項１乃至４のいずれか１項に記載の調光器において、
前記凸部は、前記カバーと前記ボディの内の素材の強度が強い側に形成されたことを特徴とする調光器。
【請求項６】
請求項５に記載の調光器において、
前記ボディは、前記回路素子の内の発熱部品を前記カバーより多く収容し、前記カバーより耐熱性が高く且つ強度が強い素材よりなることを特徴とする調光器。
【発明の詳細な説明】
【技術分野】
【０００１】
本発明は、白熱灯等の照明負荷の調光を行う調光器に関するものである。
【背景技術】
【０００２】
従来、商用電源等の交流電源と白熱灯等の照明負荷との間に介在されて照明負荷の調光を行う調光器としては、例えば特許文献１に示されるようなものがある。
このような調光器は、箱状の筐体（ボディとカバー）と、筐体の前面に設けられる操作つまみと、筐体内に収容され操作つまみの操作に応じて照明負荷の調光を行うための調光回路を構成する複数の回路素子とを備える。そして、このような調光器の筐体は、前方側の（操作つまみが配置される）カバーと後方側のボディとからなり、それらが有する爪部と爪受け部とによって組み付けられて箱状とされている。尚、爪部と爪受け部は、互いに係合してカバーとボディとを係止させるものであって、少なくとも一方がカバーとボディとを近接させていく途中で撓む撓み部を有し、係止させる位置までカバーとボディとを近接させると撓み部の撓みが解除されて互いに係合するものである。
【特許文献１】特許第３７００３２９号明細書
【発明の開示】
【発明が解決しようとする課題】
【０００３】
ところで、上記のような調光器では、ボディ側から電源等への電線が導出されることから、施工時等に電線が引っ張られた状態とされると、壁等に化粧プレートを介して固定されるカバーに対して、ボディが組み付け方向（前後方向）の直交方向における一方などに引っ張られた状態とされる場合がある。よって、上記のような調光器では、カバーとボディとのずれを防止すべく、上記した引っ張り力をも考慮して爪部や爪受け部の剛性を高く（詳しくは前記撓み部の厚さを厚く）しておくといった構成が考えられるが、このようにすると、カバーとボディとの組み付け時に大きな力が必要になるとともに爪部や爪受け部の変形や破損が発生する虞があった。
【０００４】
本発明は、上記課題を解決するためになされたものであって、その目的は、カバーとボディとの組み付け方向（前後方向）の直交方向のずれを防止しながら、爪部や爪受け部の変形や破損を低減することができる調光器を提供することにある。
【課題を解決するための手段】
【０００５】
上記課題を解決するために、請求項１に記載の発明では、箱状の筐体と、前記筐体の前面に設けられる操作つまみと、前記筐体内に収容され、前記操作つまみの操作に応じて照明負荷の調光を行うための調光回路を構成する複数の回路素子とを備え、前記筐体が、爪部と爪受け部とによって組み付けられる前方側のカバーと後方側のボディとからなる調光器であって、前記爪部は前記カバーの係止側壁の後端から突出するように形成され、前記爪受け部は前記ボディの係止側壁に形成され、前記カバーと前記ボディにおける前記爪部と前記爪受け部の近傍位置には、組み付けられた状態で、前後方向から見て直交する４方向の内の少なくとも３方向の相対移動を規制すべく互いに係合可能な凹部と凸部とが設けられ、前記凸部は前記ボディの係止側壁の前端から凸設され、前記凹部は前記カバーの係止側壁において前記爪部よりも外方へ膨出するように形成された膨出部に設けられていることを要旨とする。
【０００６】
同構成によれば、カバーとボディにおける爪部と爪受け部の近傍位置には、組み付けられた状態で、前後方向から見て直交する４方向の内の少なくとも３方向の相対移動を規制すべく互いに係合可能な凹部と凸部とが設けられるため、凹部と凸部にてカバーとボディとの組み付け方向（前後方向）の直交方向のずれを防止することができる。詳しくは、施工時等の電線の引っ張り力等をも考慮して爪部や爪受け部の剛性を高く（詳しくは撓み部の厚さを厚く）しなくても、凹部と凸部とが係合することでカバーとボディとの組み付け方向（前後方向）の直交方向のずれを防止することができる。又、凹部と凸部は、前後方向から見て直交する４方向の内の少なくとも３方向の相対移動を規制すべく互いに係合可能とされるため、前記４方向の内の１方向や２方向の相対移動を規制するようなものと比べて多方向の前記引っ張り力に対応でき、その効果が高い。しかも、施工時等の電線の引っ張り力等をも考慮して爪部や爪受け部の剛性を高く（詳しくは撓み部の厚さを厚く）したものに比べて、カバーとボディとの組み付け時に必要になる力が小さくなるとともに爪部や爪受け部の変形や破損が低減される。
【０００７】
請求項２に記載の発明では、請求項１に記載の調光器において、前記凹部と前記凸部は、前記爪部と前記爪受け部のそれぞれの両側の近傍位置にそれぞれ設けられたことを要旨とする。
【０００８】
同構成によれば、前記凹部と前記凸部は、爪部と爪受け部のそれぞれの両側の近傍位置にそれぞれ設けられるため、カバーとボディとの組み付け方向（前後方向）の直交方向のずれをより防止することができる。
【０００９】
請求項３に記載の発明では、請求項１又は２に記載の調光器において、前記筐体は、略直方体の箱状であり、前記爪部と前記爪受け部は、前記カバーと前記ボディにおける前後方向から見て対向する一対の係止側壁にそれぞれ設けられ、前記筐体を一対ずつで係止するものであって、前記カバーと前記ボディにおける前記係止側壁とそれぞれ直交する一対の非係止側壁には、組み付けられた状態で、前後方向から見て一対の前記非係止側壁が並ぶ方向の相対移動を規制すべく互いに係合可能な規制部と被規制部とが設けられたことを要旨とする。
【００１０】
同構成によれば、カバーとボディにおいて爪部と爪受け部が設けられる係止側壁とそれぞれ直交する一対の非係止側壁には、組み付けられた状態で、前後方向から見て一対の非係止側壁が並ぶ方向の相対移動を規制すべく互いに係合可能な規制部と被規制部とが設けられるため、カバーとボディとの組み付け方向（前後方向）の直交方向のずれをより防止することができる。
【００１１】
請求項４に記載の発明では、請求項３に記載の調光器において、前記規制部と前記被規制部には、組み付けられた状態で、前後方向から見て一対の前記係止側壁が並ぶ方向の相対移動を規制すべく互いに係合可能な規制凹部と規制凸部とが設けられたことを要旨とする。
【００１２】
同構成によれば、前記規制部と前記被規制部には、組み付けられた状態で、前後方向から見て一対の係止側壁が並ぶ方向の相対移動を規制すべく互いに係合可能な規制凹部と規制凸部とが設けられるため、カバーとボディとの組み付け方向（前後方向）の直交方向のずれをより防止することができる。
【００１３】
請求項５に記載の発明では、請求項１乃至４のいずれか１項に記載の調光器において、前記凸部は、前記カバーと前記ボディの内の素材の強度が強い側に形成されたことを要旨とする。
【００１４】
同構成によれば、凸部は、カバーとボディの内の素材の強度が強い側に形成されるため、素材の強度が弱い側に形成された場合に比べて、破損し難くなり、カバーとボディとの組み付け方向（前後方向）の直交方向のずれをより防止することができる。
【００１５】
請求項６に記載の発明では、請求項５に記載の調光器において、前記ボディは、前記回路素子の内の発熱部品を前記カバーより多く収容し、前記カバーより耐熱性が高く且つ強度が強い素材よりなることを要旨とする。
【００１６】
同構成によれば、ボディは、回路素子の内の発熱部品をカバーより多く収容するが、カバーより耐熱性が高い素材よりなるため、その破損等が低減される。そして、耐熱性が高く且つ強度が強い素材は容易に得ることができ、そのボディ側に凸部が形成されるため、容易に請求項５に記載の発明の効果を得ることができる。言い換えると、ボディを耐熱性が高い素材とし、カバーを強度が強い素材としてカバーに凸部を設けることは、無駄が多く、例えば、カバーの製造コストとボディの製造コストが共に高くなり、高コスト化してしまい易いが、これを回避して低コスト化を図ることができる。
【発明の効果】
【００１７】
本発明によれば、カバーとボディとの組み付け方向（前後方向）の直交方向のずれを防止しながら、爪部や爪受け部の変形や破損を低減することができる調光器を提供することができる。
【発明を実施するための最良の形態】
【００１８】
以下、本発明を具体化した一実施形態を図１〜図６に従って説明する。
図１に示すように、調光器１は、長方形の板状をなし中央部に露出孔２ａが形成された化粧プレート２に図示しない取付枠を介して固定され、その前面が露出孔２ａから露出した状態で図示しない壁等に固定される。尚、調光器１の前面は、前方から見て長方形に形成され、本実施の形態ではその短手方向が水平方向となるように固定されている。
【００１９】
図２及び図３に示すように、調光器１は、前方側のカバー３と後方側のボディ４とからなる箱状の筐体５と、筐体５（カバー３）の前面に設けられる操作つまみ６と、筐体５内に収容され操作つまみ６の操作に応じて照明負荷としての白熱灯７（図６参照）の調光を行うための調光回路８（図６参照）を構成する複数の回路素子を有する回路ブロック９（図３参照）とを備える。尚、調光器１は、そのカバー３が化粧プレート２に対して固定され、ボディ４は化粧プレート２に対してカバー３を介して固定された状態とされる。
【００２０】
本実施の形態の筐体５は、略直方体の箱状（中空）に形成されるものであって、前記カバー３と前記ボディ４とは筐体５の前後方向の中間部（前方寄り）で分割した形状に形成されている。詳しくは、カバー３は、後方側が開口した略直方体の箱状に形成され、ボディ４は、前方側が開口した略直方体の箱状に形成されている。又、ボディ４は、カバー３より耐熱性が高く且つ強度が強い素材の合成樹脂材料よりなる。
【００２１】
そして、カバー３には、前後方向から見て上下方向に対向する一対の壁である係止側壁３ａの後端における左右方向（幅方向）の中央部から後方側に向かって延びる爪部としての係合爪３ｂが（上下に一対）形成されている。この一対の係合爪３ｂは、係止側壁３ａの後端から板状に後方側に延びて上下方向に撓み易く形成された撓み部３ｃ（図３参照）と、撓み部３ｃの先端から互いに離間する側（即ち上側の撓み部３ｃからは上側、下側の撓み部３ｃからは下側）に突出する係合突起３ｄとからなる。尚、係合突起３ｄは、前方側（即ち撓み部３ｃの基端側）ほど大きく突出するように形成されている。
【００２２】
又、ボディ４には、前後方向から見て上下方向に対向する一対の壁である係止側壁４ａの前側における左右方向（幅方向）の中央部に上下方向に貫通する爪受け部としての係合孔４ｂが（上下に一対）形成されている。そして、カバー３とボディ４とは、係合爪３ｂの係合突起３ｄが係合孔４ｂに嵌められて係合（所謂スナップフィット係合）することで互いに係止されて筐体５を構成する。尚、前記撓み部３ｃは、カバー３とボディ４とを近接させていく途中で撓み、係合突起３ｄが係合孔４ｂに嵌まる位置までカバー３とボディ４とを近接させると撓みが解除されるものであって、その撓みが解除されると係合突起３ｄと係合孔４ｂとが前後方向に係合することになる。
【００２３】
又、カバー３の底部、即ち前方の面には、前後方向から見て円形状の操作孔３ｅが形成されている。そして、カバー３の操作孔３ｅには、操作つまみ６が回転可能に支持されている。
【００２４】
詳しくは、操作つまみ６は、操作孔３ｅの直径と略同径であって遊嵌可能な径の略有底筒状に形成されるとともにその開口端にフランジ部６ａ（図３参照）を有し、後方側から操作孔３ｅに挿入されてフランジ部６ａで操作孔３ｅからの抜けが防止されることで前方に突出した状態で回転可能に支持されている。
【００２５】
前記回路ブロック９は、第１及び第２プリント基板１１，１２を備え、これら第１及び第２プリント基板１１，１２に対し、前記複数の回路素子、即ち、可変抵抗器１３、トライアック１４、コイル１５、抵抗器１６、コンデンサ１７，１８及びダイアック１９等が実装されて構成されている（抵抗器１６、コンデンサ１７，１８及びダイアック１９については図６参照）。又、第１プリント基板１１には、コ字状に屈曲された放熱板２１が固定されるとともに、前記トライアック１４は該放熱板２１に密着固定されている。更に、第２プリント基板１２には、一対の接続端子２２，２３（図５（ｂ）参照）を保持する端子台２４が固定されている。この一対の接続端子２２，２３は、回路ブロック９が筐体５内に収容された状態でボディ４の底部（後方の面）に形成された電線挿入孔４ｃ（図４（ｂ）及び図５（ｂ）参照）を介して外部に露出するように配置される。又、本実施の形態では、前記回路素子の内の発熱し易い発熱部品としてのトライアック１４やコイル１５や接続端子２２，２３が、カバー３側よりボディ４側に多く収容される。
【００２６】
前記調光回路８について説明すると、図６に示すように、一対の接続端子２２，２３間に、可変抵抗器１３内のスイッチ１３ａを介して、トライアック１４及びコイル１５が直列に接続されるとともに、トライアック１４と並列に、直列に接続された抵抗器１６、可変抵抗器１３及びコンデンサ１７が接続されている。また、可変抵抗器１３とコンデンサ１７との接続点と、トライアック１４のゲートとの間にダイアック１９が接続されるとともに、接続端子２２，２３間には、前記スイッチ１３ａを介してコンデンサ１８が接続されている。そして、一対の接続端子２２，２３間には、白熱灯７と電源３１との直列回路が接続される。尚、この際、白熱灯７と電源３１とに接続された図示しない一対の電線が前記電線挿入孔４ｃを介して筐体５内の接続端子２２，２３に接続固定されることになる。
【００２７】
又、図３に示すように、回路ブロック９から突出する可変抵抗器１３の回動軸１３ｂは、前記操作つまみ６に後方側から挿入されて該操作つまみ６と一体回転可能とされている。そして、操作つまみ６を回動させることにより、回動軸１３ｂが回転され、前記スイッチ１３ａ（図６参照）の開閉がなされるとともに、回動軸１３ｂの回動量（操作量）に応じて可変抵抗器１３の抵抗値が変化される。
【００２８】
ここで、本実施の形態のカバー３とボディ４における係合爪３ｂと係合孔４ｂの近傍位置には、カバー３とボディ４が組み付けられた状態で、前後方向から見て直交する４方向の内の３方向の相対移動を規制すべく互いに係合可能な凹部３ｆ（図４（ａ）参照）と凸部４ｄ（図３及び図４（ｂ）参照）とが設けられている。
【００２９】
詳しくは、図４（ａ）及び図５（ａ）に示すように、カバー３の各前記係止側壁３ａの後端における係合爪３ｂの左右方向（幅方向）の両側の近傍位置には、前方側に向かって凹設されるとともにカバー３の上下方向の中央側に開放することで前後方向から見てコ字状とされた凹部３ｆがそれぞれ（全部で４個）形成されている。
【００３０】
又、図４（ｂ）及び図５（ａ）に示すように、ボディ４の各前記係止側壁４ａの前端における係合孔４ｂの左右方向（幅方向）の両側の近傍位置には、前方側に向かって凸設されるとともに前後方向から見て四角形とされた凸部４ｄがそれぞれ（全部で４個）形成されている。
【００３１】
そして、カバー３とボディ４が組み付けられた状態で、各凸部４ｄが各凹部３ｆ内にそれぞれ挿入されることで、１組（凹部３ｆと凸部４ｄの組）毎で前後方向から見て直交する４方向の内の３方向の（カバー３とボディ４の）相対移動が規制されることになる。尚、本実施の形態では、上側の凹部３ｆと凸部４ｄの組で、カバー３に対するボディ４の上方向及び左右方向の移動がそれぞれ規制され、下側の凹部３ｆと凸部４ｄの組で、カバー３に対するボディ４の下方向及び左右方向の移動がそれぞれ規制される。
【００３２】
又、カバー３とボディ４における前記係止側壁３ａ，４ａとそれぞれ直交する一対の非係止側壁３ｇ，４ｅには、組み付けられた状態で、前後方向から見て一対の非係止側壁３ｇ，４ｅが並ぶ方向である左右方向の相対移動を規制すべく互いに係合可能な規制部３ｈと被規制部４ｆが設けられている。
【００３３】
詳しくは、図３、図４（ａ）及び図５（ａ）に示すように、カバー３の各前記非係止側壁３ｇの後端には、非係止側壁３ｇの略半分の板厚で後方側に向かって凸設される規制部３ｈがそれぞれ形成されている。
【００３４】
又、図３、図４（ｂ）及び図５（ａ）に示すように、ボディ４の各前記非係止側壁４ｅの前端には、前記規制部３ｈが嵌合可能となるように後方側に向かって凹設される被規制部４ｆがそれぞれ形成されている。
【００３５】
そして、カバー３とボディ４が組み付けられた状態で、各規制部３ｈが各被規制部４ｆに嵌合されることで、左右方向の（カバー３とボディ４の）相対移動が規制されることになる。
【００３６】
又、規制部３ｈと被規制部４ｆには、組み付けられた状態で、前後方向から見て一対の係止側壁３ａ，４ａが並ぶ方向である上下方向の相対移動を規制すべく互いに係合可能な規制凹部３ｉと規制凸部４ｇとが設けられている。
【００３７】
詳しくは、図３、図４（ａ）及び図５（ａ）に示すように、規制部３ｈの上下方向の中間部下側寄りには、前方側に向かって凹設される規制凹部３ｉがそれぞれ形成されている。
【００３８】
又、図３、図４（ｂ）及び図５（ａ）に示すように、被規制部４ｆの上下方向の中間部下側寄りには、前記規制凹部３ｉに嵌合可能となるように前方側に向かって凸設される規制凸部４ｇがそれぞれ形成されている。
【００３９】
そして、カバー３とボディ４が組み付けられた状態で、規制凸部４ｇが規制凹部３ｉに嵌合されることで、上下方向の（カバー３とボディ４の）相対移動が規制されることになる。
【００４０】
又、本実施の形態のカバー３の底部、即ち前方の面において前記操作孔３ｅより上方の左側には、表示ランプ用貫通孔３ｊが形成され、回路ブロック９には、筐体５内に収容された状態で表示ランプ用貫通孔３ｊを介して外部に露出する表示ランプ３２が設けられている。尚、このように表示ランプ用貫通孔３ｊ及び表示ランプ３２が操作孔３ｅ及び操作つまみ６より上方に配置されると、一般的に床から約１２０ｃｍの高さに設けられる調光器１を大人が立った状態で見た場合に表示ランプ３２が操作つまみ６に隠れて見えなくなるといったことが低減される。又、本実施の形態の調光器１は、前方から見て短手方向が水平方向となるように固定されるとしたが、設置場所等によっては、前方から見て長手方向が水平方向となるように固定される場合（図１の調光器１を時計回り方向に９０°回転させて固定する場合）もある。そして、その場合でも、本実施の形態では、表示ランプ用貫通孔３ｊ及び表示ランプ３２を操作孔３ｅ及び操作つまみ６の軸中心より上方に配置することができるようになっており、この場合でも表示ランプ３２が操作つまみ６に隠れて見えなくなるといったことが低減されるようになっている。
【００４１】
上記のように構成された調光器１においては、操作つまみ６が時計方向に回動されることにより回動軸１３ｂが回動されて可変抵抗器１３内のスイッチ１３ａが閉状態とされると、回動軸１３ｂの回動量に応じて可変抵抗器１３の抵抗値が調整され、この抵抗値の変化に応じてコンデンサ１７の充電時間が調整される。そして、ダイアック１９を介してトライアック１４の導通が位相制御され、白熱灯７に通電される電力量が制御されて白熱灯７は調光制御される。一方、操作つまみ６が反時計方向に最大限回動されると、白熱灯７が消灯される。尚、図６に示す回路図では、前記表示ランプ３２の図示を省略したが、表示ランプ３２は、前記スイッチ１３ａと並列的に接続され、スイッチ１３ａが開状態、即ち、白熱灯７が消灯された状態でのみ点灯するように設けられている。よって、例えば、白熱灯７が消灯された暗い室内等で表示ランプ３２が点灯していることにより、操作つまみ６の位置を容易に探すといったことが可能とされている。
【００４２】
次に、上記実施の形態の特徴的な作用効果を以下に記載する。
（１）カバー３とボディ４における係合爪３ｂと係合孔４ｂの近傍位置には、カバー３とボディ４が組み付けられた状態で、前後方向から見て直交する４方向の内の３方向の相対移動を規制すべく互いに係合可能な凹部３ｆと凸部４ｄが設けられるため、凹部３ｆと凸部４ｄにてカバー３とボディ４との組み付け方向（前後方向）の直交方向のずれを防止することができる。尚、勿論、直交する４方向の内の３方向に係合することは３方向のみならず斜め方向の相対移動をも規制することに繋がり、斜め方向のずれも防止されることになる。詳しくは、本実施の形態のような調光器１では、ボディ４側から接続端子２２，２３に接続固定された電線が導出されることから、施工時等に電線が引っ張られた状態とされると、壁等に化粧プレート２を介して固定されるカバー３に対して、ボディ４が組み付け方向（前後方向）の直交方向における一方などに引っ張られた状態とされる場合がある。しかし、このような施工時等の電線の引っ張り力等をも考慮して爪部や爪受け部（係合爪３ｂと係合孔４ｂ）の剛性を高く（詳しくは撓み部３ｃの厚さを厚く）しなくても、凹部３ｆと凸部４ｄとが係合することでカバー３とボディ４との組み付け方向（前後方向）の直交方向のずれを防止することができる。又、凹部３ｆと凸部４ｄは、前後方向から見て直交する４方向の内の３方向の相対移動を規制すべく互いに係合可能とされるため、前記４方向の内の１方向や２方向の相対移動を規制するようなものと比べて多方向の前記引っ張り力に対応でき、その効果が高い。しかも、施工時等の電線の引っ張り力等をも考慮して爪部や爪受け部（係合爪３ｂと係合孔４ｂ）の剛性を高く（詳しくは撓み部３ｃの厚さを厚く）したものに比べて、カバー３とボディ４との組み付け時に必要になる力が小さくなるとともに爪部や爪受け部（係合爪３ｂと係合孔４ｂ）の変形や破損が低減される。
【００４３】
（２）凹部３ｆと凸部４ｄは、係合爪３ｂと係合孔４ｂのそれぞれの両側の近傍位置にそれぞれ設けられるため、係合爪３ｂと係合孔４ｂのそれぞれの一側の近傍位置に設けられるものに比べて、カバー３とボディ４との組み付け方向（前後方向）の直交方向のずれをより防止することができる。
【００４４】
（３）カバー３とボディ４において係合爪３ｂと係合孔４ｂが設けられる係止側壁３ａ，４ａとそれぞれ直交する一対の非係止側壁３ｇ，４ｅには、組み付けられた状態で、左右方向の相対移動を規制すべく互いに係合可能な規制部３ｈと被規制部４ｆとが設けられるため、カバー３とボディ４との組み付け方向（前後方向）の直交方向のずれをより防止することができる。
【００４５】
（４）規制部３ｈと被規制部４ｆには、組み付けられた状態で、上下方向の相対移動を規制すべく互いに係合可能な規制凹部３ｉと規制凸部４ｇとが設けられるため、カバー３とボディ４との組み付け方向（前後方向）の直交方向のずれをより防止することができる。
【００４６】
（５）凸部４ｄは、カバー３とボディ４の内の素材の強度が強い側のボディ４に形成されるため、素材の強度が弱い側に形成された場合に比べて、破損し難くなり（折れ難くなり）、カバー３とボディ４との組み付け方向（前後方向）の直交方向のずれをより防止することができる。
【００４７】
（６）ボディ４は、回路素子の内の発熱し易い発熱部品としてのトライアック１４やコイル１５や接続端子２２，２３をカバー３側より多く収容するが、カバー３より耐熱性が高い素材よりなるため、その破損等が低減される。そして、耐熱性が高く且つ強度が強い素材は容易に得ることができ、その素材よりなるボディ４側に凸部４ｄが形成されるため、容易に上記（５）の効果を得ることができる。言い換えると、ボディ４を耐熱性が高い素材とし、カバー３を強度が強い素材としてカバー３に凸部を設けることは、無駄が多く、例えば、カバー３の製造コストとボディ４の製造コストが共に高くなり、高コスト化してしまい易いが、これを回避して低コスト化を図ることができる。
【００４８】
上記実施の形態は、以下のように変更してもよい。
・上記実施の形態では、凹部３ｆと凸部４ｄは、係合爪３ｂと係合孔４ｂのそれぞれの両側の近傍位置にそれぞれ（即ち４つずつ）設けられるとしたが、これに限定されず、例えば、係合爪３ｂと係合孔４ｂのそれぞれの一側の近傍位置に（例えば、前方から見て上側では右側のみ下側では左側のみに（即ち２つずつ））設けられるものとしてもよい。
【００４９】
・上記実施の形態では、各非係止側壁３ｇ，４ｅには、組み付けられた状態で、左右方向の相対移動を規制すべく互いに係合可能な規制部３ｈと被規制部４ｆが設けられるとしたが、これに限定されず、規制部３ｈと被規制部４ｆが形成されていない構成としてもよい。
【００５０】
・上記実施の形態では、規制部３ｈと被規制部４ｆには、組み付けられた状態で、上下方向の相対移動を規制すべく互いに係合可能な規制凹部３ｉと規制凸部４ｇが設けられるとしたが、これに限定されず、規制凹部３ｉと規制凸部４ｇが形成されていない構成としてもよい。
【００５１】
・上記実施の形態では、凸部４ｄは、カバー３とボディ４の内の素材の強度が強い側のボディ４に形成されるとしたが、これに限定されず、例えば、素材の強度が弱い側（カバー３）に形成してもよいし、また、カバー３とボディ４の素材を同じとしてそのどちらに形成してもよい。
【００５２】
・上記実施の形態では、ボディ４は、回路素子の内の発熱し易い発熱部品としてのトライアック１４やコイル１５や接続端子２２，２３をカバー３側より多く収容することからカバー３より耐熱性が高い素材にて構成したが、これに限定されず、カバー３が前記発熱部品を多く収容する構成として、カバー３を耐熱性が高い素材にて構成してもよい。尚、この場合では、凸部をカバー３側に形成することが好ましい。
【００５３】
・上記実施の形態では、凹部３ｆと凸部４ｄは、前後方向から見て直交する４方向の内の３方向の（カバー３とボディ４の）相対移動を規制すべく互いに係合可能なものとされたが、これに限定されず、前記４方向の全ての相対移動を規制すべく互いに係合可能なものとしてもよい。即ち、上記実施の形態の凹部３ｆは、カバー３の上下方向の中央側に開放したもの（図４（ａ）参照）としたが、このように開放していない前後方向から見て四角形の凹部に変更してもよい。このようにすると、各凹部と凸部で更に多方向の前記引っ張り力に対応でき、前述したずれを防止する効果が高くなる。
【００５４】
・上記実施形態では、照明負荷を白熱灯７としたが、これに限定されず、調光可能な別の照明負荷に変更してもよい。
【図面の簡単な説明】
【００５５】
【図１】本実施の形態における化粧プレートに対して固定された調光器の正面図。
【図２】本実施の形態における調光器の斜視図。
【図３】本実施の形態における調光器の分解斜視図。
【図４】（ａ）本実施の形態におけるカバーを後方から見た底面図。（ｂ）本実施の形態におけるボディを前方から見た底面図。
【図５】（ａ）本実施の形態における調光器の側面図。（ｂ）本実施の形態における調光器の背面図。
【図６】本実施の形態における調光器の調光回路を説明するための回路図。
【符号の説明】
【００５６】
３…カバー、３ａ，４ａ…係止側壁、３ｂ…係合爪（爪部）、３ｆ…凹部、３ｇ，４ｅ…非係止側壁、３ｈ…規制部、３ｉ…規制凹部、４…ボディ、４ｂ…係合孔（爪受け部）、４ｄ…凸部、４ｆ…被規制部、４ｇ…規制凸部、５…筐体、６…操作つまみ、７…白熱灯（照明負荷）、８…調光回路。
【図１】
0004877119.tif 000002
【図２】
0004877119.tif 000003
【図３】
0004877119.tif 000004
【図４】
0004877119.tif 000005
【図５】
0004877119.tif 000006
【図６】
0004877119.tif 000007